(57)【特許請求の範囲】
【請求項１】
コンテンツデータと当該コンテンツデータの格納先を示すアドレス情報を含むショートカット情報とを記憶した外部メディアを接続する接続部と、
前記接続部に接続された外部メディアに記憶された前記ショートカット情報を検出するショートカット検出部と、
前記検出されたショートカット情報を解析し、解析されたアドレス情報からコンテンツデータの格納先を特定するショートカット解析部と、
前記特定された格納先のコンテンツデータに含まれる属性データを抽出する属性データ抽出部と、
前記抽出された属性データを用いてコンテンツデータの再生リストを作成する再生リスト作成部と、
前記再生リスト作成部により作成した再生リストを表示する表示部と、
を有するコンテンツデータ再生装置。
【請求項２】
コンテンツデータ再生装置はさらに、前記再生リストに従ってコンテンツデータを再生する再生部を含む、請求項１に記載のコンテンツデータ再生装置。
【請求項３】
コンテンツデータは、当該コンテンツの属性を示す属性情報を含み、前記再生リスト作成部は、前記属性情報に基づきコンテンツデータの再生順序を決定する、請求項１に記載のコンテンツデータ再生装置。
【請求項４】
前記属性情報は、コンテンツデータのタイトル、アーティスト名、アルバム名、ジャンル名のうち少なくとも１つを含み、前記再生リストは、コンテンツデータを表すために前記属性情報の少なくとも１つを含む、請求項３に記載のコンテンツデータ再生装置。
【請求項５】
前記ショートカット情報は、ショートカットが作成された日時情報を含み、前記再生リスト作成部は、前記日時情報に基づきコンテンツデータの再生順序を決定する、請求項１に記載のコンテンツデータ再生装置。
【請求項６】
前記再生リスト作成部は、コンテンツデータ数がしきい値を超えたとき再生リストを複数に分割する、請求項１に記載のコンテンツデータ再生装置。
【請求項７】
コンテンツデータと当該コンテンツデータの格納先を示すアドレス情報を含むショートカット情報を外部メディアに記憶するステップと、
外部メディアをコンテンツデータ再生装置に接続するステップと、
接続された外部メディア内の前記ショートカット情報を検出するステップと、
前記検出されたショートカット情報を解析し、解析されたアドレス情報からコンテンツデータの格納先を特定するステップと、
前記特定された格納先のコンテンツデータに含まれる属性データを抽出するステップと、
前記抽出された属性データを用いてコンテンツデータの再生リストを作成するステップと、
作成された再生リストを表示するステップと、
を有するコンテンツデータの再生リスト作成方法。
【請求項８】
コンテンツデータと当該コンテンツデータの格納先を示すアドレス情報を含むショートカット情報とを記憶した外部メディアを接続可能なコンテンツデータ再生装置が実行する再生リスト作成プログラムであって、
外部メディアがコンテンツデータ再生装置に接続されたとき、接続された外部メディア内の前記ショートカット情報を検出するステップと、
前記検出されたショートカット情報を解析し、解析されたアドレス情報からコンテンツデータの格納先を特定するステップと、
前記特定された格納先のコンテンツデータに含まれる属性データを抽出するステップと、
前記抽出された属性データを用いてコンテンツデータの再生リストを作成するステップと、
作成された再生リストを表示するステップと、
を有する再生リスト作成プログラム。
【発明の詳細な説明】
【技術分野】
【０００１】
本発明は、コンテンツデータを再生するコンテンツデータ再生装置に関し、特に、外部メディアに記憶されたコンテンツデータの再生（プレイ）リストを作成する機能を備えたコンテンツデータ再生装置に関する。
【背景技術】
【０００２】
車載用オーディオ装置は、ＣＤ、ＤＶＤに記憶されたデータを再生する機能に加えて、外部メディア（例えば、ＵＳＢメモリ、ＳＤカード等）を接続し、外部メディアに記憶された楽曲データを再生する機能を備えている。典型的な外部メディアは、データの読み書きや消去を繰り返し行うことができ、さらに電源を切ってもデータを保持することができるフラッシュメモリである。特に、フラッシュメモリを含むＵＳＢメモリは、パーソナルコンピュータ（以下、ＰＣと称する）や車載用オーディオ装置などでデータをコピーするときの媒体として利用されている。
【０００３】
ＵＳＢメモリ等の外部メディアは、その記憶容量が拡大し、非常に多くの楽曲データを格納することができる。格納できる楽曲データ数が増えることは利便性の向上に繋がるが、その反面、外部メディアから所望の楽曲データを見つけることが煩雑となる。これを容易にするため、所望の楽曲データを予めプレイリストに登録し、プレイリストに含まれる楽曲データの自動再生が行われている。
【０００４】
このようなプレイリストに関する報告が幾つか成されている。例えば、特許文献１は、プレイリストとそのプレイリストの再生に必要なデータファイルを転送するとき、複写するデータファイルの必要な部分のみを抽出するようなトリミング処理を行い、トリミングされたデータファイルのみを送信する技術を開示している。特許文献２は、フォルダ内にプレイリストとプレイリストに含まれるファイルのショートカットを作成しておき、プレイリストのファイルを他の再生装置等にコピーする場合には、そのフォルダをコピーすることで、単一のフォルダから関連するファイルを探し出すことを可能にしている。
【０００５】
【特許文献１】特開２００４−１７２８８７号
【特許文献２】特開２００６−１８５５４３号
【発明の開示】
【発明が解決しようとする課題】
【０００６】
図１は、従来のオーディオ装置における楽曲データのプレイリストの作成方法を説明する図である。まず、ユーザは、プレイリストを作成する専用のソフトウエア４を使って、ＰＣ３に記憶されている楽曲データとその再生順序を決定したプレイリストを作成する。そして、作成したプレイリストを外部メディア２に記憶し、次いで、外部メディア２をオーディオ装置１に接続する。オーディオ装置１は、ＰＣ３で作成されたプレイリストに従って楽曲データを再生する。
【０００７】
ＰＣによって作成されたプレイリスト５は、例えば図２に示すように、楽曲データの格納先を示すディレクトリまたはパスを含んでいる。オーディオ装置１は、外部メディア２が接続されると、自身のプレイリストデータベース６にプレイリスト５を追加し、かつ楽曲データベース７に楽曲データを追加し、これにより、オーディオ装置１は、プレイリスト５に基づき楽曲データの再生を行う。
【０００８】
このように、ＰＣで作成したプレイリストをオーディオ装置で用いるには、専用の作成ソフトウエア４が不可欠であり、専用の作成ソフトウエア４の購入やサーバーからのダウンロードを必要としていた。さらに、プレイリストの作成には、ユーザが１曲ずつ音楽ファイルの記憶位置を確認しながら、希望する順序となるように記憶位置を記述しなけばならず、それも煩雑であった。
【０００９】
本発明は、上記従来の課題を解決し、容易にコンテンツデータの再生リストを作成することができるコンテンツデータ再生装置を提供することを目的とする。
【課題を解決するための手段】
【００１０】
本発明に係るコンテンツデータ再生装置は、コンテンツデータと当該コンテンツデータの格納先を示すアドレス情報を含むショートカット情報とを記憶した外部メディアを接続する接続部と、前記接続部に接続された外部メディアに記憶された前記ショートカット情報を検出するショートカット検出部と、前記検出されたショートカット情報に基づきコンテンツデータの再生リストを作成する再生リスト作成部と、前記再生リスト作成部により作成した再生リストを表示する表示部とを有する。
【００１１】
アドレス情報は、例えばコンテンツデータのパスまたルートディレクトリである。ショートカット検出部は、例えばショートカット情報が格納されている位置またはショートカット情報の拡張子等を利用してショートカット情報を検出する。コンテンツデータ再生装置はさらに、前記再生リストに従ってコンテンツデータを再生する再生部を含む。好ましくはコンテンツデータは、当該コンテンツの属性を示す属性情報を含み、前記再生リスト作成部は、前記属性情報に基づきコンテンツデータの再生順序を決定する。属性情報は、例えばコンテンツデータのタイトル、アーティスト、アルバム、ジャンル等を含み、再生リストは、コンテンツデータを表すために属性情報の少なくとも１つを含む。
【００１２】
好ましくはショートカット情報は、ショートカットが作成された日時情報を含み、前記再生リスト作成部は、前記日時情報に基づきコンテンツデータの再生順序を決定する。前記再生リスト作成部は、コンテンツデータ数がしきい値を超えたとき再生リストを複数に分割するようにしてもよい。
【００１３】
本発明に係るコンテンツデータの再生リスト作成方法は、コンテンツデータと当該コンテンツデータの格納先を示すアドレス情報を含むショートカット情報を外部メディアに記憶するステップと、外部メディアをコンテンツデータ再生装置に接続するステップと、接続された外部メディア内の前記ショートカット情報を検出するステップと、検出されたショートカット情報に基づきコンテンツデータの再生リストを作成するステップと、作成された再生リストを表示するステップとを有する。好ましくは、ショートカット情報は、前記外部メディアを接続した情報処理端末装置において作成される。
【発明の効果】
【００１４】
本発明によれば、ショートカット情報に基づきコンテンツデータの再生リストを作成するようにしたので、ＰＣ等に搭載されている既存のまたは汎用のソフトウエアのショートカット作成機能を利用することができ、再生リストを作成するための専用のソフトウエアを必要としない。これにより、従来と比較して簡単にコンテンツデータの再生リストをＰＣ等において作成することができる。
【発明を実施するための最良の形態】
【００１５】
本発明の最良の実施の形態について図面を参照して詳細に説明する。
【実施例】
【００１６】
本実施例では、ＰＣにおいて楽曲データの再生リストを作成し、これをＵＳＢメモリ等の外部メディアを介して車載用オーディオ装置において利用する例を説明する。ＰＣにおける典型的なデータ構造は、ツリー構造または階層構造であり、ルートから階層的にフォルダまたはファイルを作成し、フォルダまたはファイル内に所望のデータを格納する。格納されたデータにアクセスするには、階層構造のファイルまたはフォルダをたどるによって到達することができ、本明細書では、データにアクセスするためのアドレス情報をディレクトリまたはパスデータと呼ぶ。
【００１７】
再生リストを作成するに際して、先ず、ＵＳＢメモリ等の外部メディアをＰＣに接続する。ユーザは、ＰＣに格納されている多数の楽曲データの中から、再生リストに登録すべき楽曲データを選択し、これを外部メディアに記憶する。好ましくは、外部メディアに楽曲データを格納するためのフォルダまたはファイルを作成する。加えて、外部メディアに格納した楽曲データについてのショットカットファイルを作成し、これを外部メディアに記憶する。好ましくは、外部メディアにショートカットファイルを保存するためのフォルダ（以下、専用フォルダという）を作成し、そこにショートカットファイルを格納する。ショットカットファイルは、後述するように、楽曲データの格納先を示すディレクトリまたはパスデータと、その属性としてファイル作成日時の情報を含んでいる。
【００１８】
外部メディアに対して、再生リストに登録すべきすべての楽曲データの格納およびそれらのショートカットファイルの格納が終了すると、次に、外部メディアはＰＣから取り外され、車載用オーディオ装置に接続される。外部メディアの接続は、ユーザが車載用オーディオ装置において再生リストの作成を所望するときに行われる。
【００１９】
車載用オーディオ装置は、外部メディアの専用フォルダの中からショートカットファイルを検出し、ショートカットファイルに基づき楽曲データの格納先を特定し、特定された楽曲データの再生リストを作成する。車載用オーディオ装置は、作成した再生リストをディスプレイに表示し、再生リストの再生順序に従い楽曲データを自動再生することができる。楽曲データを再生するとき、車載用オーディオ装置は、外部メディアに記憶された楽曲データを直接読み出すことができるが、この他にも、外部メディアに記憶された楽曲データを車載用オーディオ装置に転送し、転送された楽曲データを読み出すようにしてもよい。
【００２０】
図３は、外部メディアのデータ構造を示す図である。同図に示すように、外部メディアのルートには、フォルダ（Folder）Ａ、フォルダ(Folder)Ｂ、専用フォルダ(Folder)Ｃが形成されている。フォルダＡには、楽曲データAAA.mp3, BBB.mp3, CCC.mp3が格納され、フォルダＢには、楽曲データDDD.mp3, EEE.mp3が格納されている。専用フォルダＣには、ショートカットファイルAAA.lnk, BBB.lik, DDD.lnkが格納されている。例えば、フォルダＡ、フォルダＢは、楽曲データのアーティストやジャンルを分類する。このようなデータ構造は一例であって、ユーザの好みや利便性に応じて適宜変更することができる。
【００２１】
図４（ａ）は、楽曲データの構成例を示す図である。楽曲データ１００は、楽曲そのものを示す本体データ１１０、楽曲データの属性を示す属性データ１２０とを有する。属性データ１２０は、例えば、楽曲のタイトル１２２、アルバム１２４、アーティスト１２６、ジャンル１２８などを含んでいる。図４（ｂ）は、属性データの具体例を示すテーブルである。例えば、図３に示す楽曲ファイルAAA.mp3は、タイトルＡＡＡ、アルバムＡ、アーティストＡＡ、ジャンルＰＯＰＳの属性データを含んでいる。楽曲ファイルBBB.mp3は、タイトルＢＢＢ、アルバムＡ、アーティストＡＡ、ジャンル名ＰＯＰＳの属性データを含んでいる。楽曲ファイルDDD.mp3は、タイトルＤＤＤ、アルバムＢ、アーティストＢＢ、ジャンルＪＡＺＺの属性データを含んでいる。
【００２２】
図５（ａ）は、ショートカットファイルの構成例を示す図である。ショートカットファイル１３０は、楽曲データの格納先を示すパスデータ１３２と、ショートカットファイルを作成した日時を示す作成日時データ１３４とを有する。
【００２３】
図５（ｂ）は、図３の専用フォルダに保存されたショートカットフィルの具体例を示す図である。ショートカットファイルAAA.lnkのパスデータは、\Folder A\AAA.mp3であり、その作成日時データは、２００７年１０月３０日１１時３３分である。ショートカットファイルBBB.lnkのパスデータは、\Folder A\BBB.mp3であり、その作成日時データは、２００７年１１月1日１８時４５分となる。同様に、ショートカットファイルDDD.lnkのパスデータは、\Folder B\DDD.mp3であり、その作成日時データ１３４は、２００７年１０月３１日１６時２０分である。なお、ショートカットファイルを作成する単位は、１つの楽曲データであっても良いし、複数の楽曲データを含む楽曲ファイルであってもよい。
【００２４】
次に、本実施例に係る車載用オーディオ装置の構成を図６に示す。車載用オーディオ装置２００は、タッチパネルやキー入力によりユーザからの指示を入力する入力部２１０、楽曲データを再生する再生部２２０、再生されたオーディオ信号をスピーカーから出力させる音声出力部２３０、データやプログラム等を格納する記憶部２４０、楽曲データの再生リスト等をディスプレイに表示する表示部２５０、外部メディアを接続する外部インターフェース（以下、外部Ｉ／Ｆと称する）２６０、実行するプログラムを記憶するプログラムメモリ２７０、データを一時記憶するデータメモリ２８０、プログラムに従い各動作を制御する制御部２９０を含む。
【００２５】
外部Ｉ／Ｆ２６０は、ＵＳＢメモリ等のメディアをコネクタにより接続してもよいし、あるいは、無線ＬＡＮ、赤外線通信機、ブルートゥースなどを利用して接続することも可能である。
【００２６】
プログラムメモリ２７０は、外部メディアが接続されたとき、外部メディアに記憶されたショートカットファイルに基づき再生リストを作成するための
再生リスト作成プログラム３００を有する。
【００２７】
図７は、再生リスト作成プログラム３００の機能ブロック図である。再生リスト作成プログラム３００は、外部メディアに記憶されたショートカットファイルを検出するショートカットファイル検出部３１０、検出されたショートカットファイルを解析するショートカットファイル解析部３２０、解析されたショートカットファイルに対応する楽曲データから属性データを抽出する属性データ抽出部３３０、楽曲データの再生リストを作成する再生リスト作成部３４０を有する。
【００２８】
好ましくは、ショートカットファイル検出部３１０は、外部メディアが外部Ｉ／Ｆ２６０に接続されると、この接続に応答して外部メディアのデータ構造からショートカットファイルを検出する。検出方法は、上記したように外部メディアに専用フォルダを作成している場合には、当該専用フォルダを検索し、そこに含まれるショートカットファイルを抽出する。専用フォルダを作成していないよう場合には、ショートカットの拡張子を識別子に用いて検出するようにしてもよい。例えば、ＰＣのオペレーティングソフトウエア（ＯＳ）がWindows（登録商標）であれば、ショートカットファイルは、「ファイル名.lnk」となる。
【００２９】
ショートカットファイル解析部３２０は、検出されたショートカットファイルを解析し、そのパスデータ１３２から楽曲データの格納先を特定する。属性データ抽出部３３０は、特定された楽曲データに含まれる属性データ１２０を抽出する。再生リスト作成部３４０は、専用フォルダに格納されたすべてのショートカットファイルに対応する楽曲データの属性データを用いて楽曲データの再生リストを作成する。楽曲データの再生順は、属性データを用いることができ、例えば、タイトルの５０音順やアルバムのアルファベット順とすることができる。これ以外にも、ショートカットファイルの作成日時データを参照し、作成日時が新しい順にするようにしてもよい。
【００３０】
次に、本実施例の車載用オーディオ装置における再生リスト作成の動作を図８のフローを参照して説明する。まず、ＰＣに外部メディアをＰＣに接続し（ステップＳ１０１）、外部メディアに専用フォルダを作成する（ステップＳ１０２）。次に、ＰＣに格納されている楽曲データを外部メディアにコピーし（ステップＳ１０３）、当該コピーされた楽曲データのショートカットを専用フォルダ内に作成する（ステップＳ１０４）。ユーザは、再生リストに登録すべきすべての楽曲データのコピーとそのショートカットファイルの作成を行う。
【００３１】
以上の作業が完了したならば、外部メディアをＰＣから取り外し、外部メディアを車載用オーディオ装置に接続する（ステップＳ１０５）。ショートカットファイル検出部３１０は、外部メディアの接続に応答して、専用フォルダに作成されたショートカットファイルを検出し、それらの数をカウントする（ステップＳ１０６）。
【００３２】
検出されたショートカットファイルは、ショートカットファイル解析部３２０により楽曲データの格納先であるパスデータが解析され、属性データ抽出部３３０により属性データが抽出される（ステップＳ１０７）。これらの作業は、専用フォルダ内のすべてのショートカットファイルについて行われる。
【００３３】
次に、再生リスト作成部３４０は、属性データに基づき楽曲データの再生順序を決定し、再生リストを作成する（ステップＳ１０８）。再生リストは、表示部２５０によりディスプレイに表示され（ステップＳ１０９）、再生部２４０は、再生リストの再生順に従い楽曲データを再生し（ステップＳ１１０）、音声出力部２３０より音声が出力される。
【００３４】
図９は、再生リストの作成例である。再生リストは、再生順序、タイトル、アルバム、アーティスト、ジャンルを含んでいる。この再生リストは、図３に示すフォルダＣのショートカットファイルに対応している。楽曲データの再生順序は、属性データを用いて決定することができるが、これに限らず、ユーザが条件を設定できるようにしてもよい。また、再生リストは、必ずしも楽曲データのすべての属性データを表示するのではなく、例えばユーザが所望する属性データを１つ（タイトル）を表示するようにしてもよい。
【００３５】
次に、本発明の第２の実施例について説明する。第２の実施例では、再生リストに含まれる楽曲データが多いと、再生される楽曲データを確認し難いという欠点が生じる。そこで、第２の実施例は、再生リストに含まれる楽曲データの数に制限を加え、楽曲データ数がしきい値を超えた場合には、再生リストを複数に分割して表示する。上記しきい値は、デフォルトが用意されているが、ユーザ設定により任意に変更可能である。
【００３６】
図１０は、第２の実施例に係る再生リスト作成プログラムの機能ブロック図であり、第１の実施例と同一のものには同一参照番号を付し説明を省略する。第２の実施例は、新たに楽曲データ数計算部３５０を含む。楽曲データ数計算部３５０は、再生リストに含まれるべき楽曲データ数を計算し、計算された楽曲データ数としきい値とを比較し、その比較結果を再生リスト作成部３４０へ提供する。再生リスト作成部３４０は、楽曲データ数がしきい値を超える場合には、再生リストを２ページに分割する。なお、複数のしきい値を設定した場合には、それぞれのしきい値との比較結果に応じて再生リストを複数のページに分割するようにしてもよい。
【００３７】
図１１は、第２の実施例に係るコンテンツリスト作成の動作フローである。楽曲データ数計算部３５０は、再生リストに含まれるべき楽曲データの数をカウントする（ステップＳ２０１）。次に、楽曲データ数がしきい値以上か否かを判定する（ステップＳ２０２）。再生リスト作成部３４０は、楽曲データ数がしきい値以上であれば、再生リストを複数に分割し（ステップＳ２０３）、各再生リスト毎の再生順序を決定する（ステップＳ２０４）。再生リストの分割は、属性データやショートカットファイルの作成日時データに基づき行うことができる。例えば、同一のアーティストやアルバムやジャンルが含まれるように分割したり、ショートカットファイルの作成日時が近いものが含まれるように分割することができる。作成された再生リストは、第１の実施例と同様に、表示部２５０に表示され、再生部２２０によって楽曲データが再生される（ステップＳ２０５、Ｓ２０６）。
【００３８】
以上、本発明の好ましい実施の形態について詳述したが、本発明に係る特定の実施形態に限定されるものではなく、特許請求の範囲に記載された本発明の要旨の範囲内において、種々の変形・変更が可能である。
【００３９】
上記実施例は、オーディオ装置を例に用いたが、オーディオのみならずビデオデータを再生する再生装置であってもよく、この場合、再生リストは、楽曲データのみならず、映像データであってもよい。さらに上記実施例は、車載用オーディオ装置を例示したが、必ずしも車載用に限るものではない。
【図面の簡単な説明】
【００４０】
【図１】従来のＰＣにおける再生リストの作成方法を説明する図である。
【図２】従来のオーディオ装置における再生リストの作成方法を説明する図である。
【図３】本発明の実施例に係る外部メディアのデータ構造例を示す図である。
【図４】図４(ａ)は楽曲データの構成例を示し、図４（ｂ）は楽曲データの属性データ例を示す図である。
【図５】図５（ａ）は、ショートカットファイルの構成例を示し、図５（ｂ）は、ショートカットフィルの具体例を示す図である。
【図６】図６（ａ）は、本実施例に係る車載用オーディオ装置の構成を示すブロック図である。
【図７】図６に示す再生リスト作成プログラムの機能ブロック図である。
【図８】本発明の第１の実施例に係る再生リスト作成の動作のフローチャートである。
【図９】第１の実施例により作成された再生リストの例である。
【図１０】本発明の第２の実施例に係る再生リスト作成プログラムの機能ブロック図である。
【図１１】本発明の第２の実施例に係る再生リスト作成の動作のフローチャートである。
【符号の説明】
【００４１】
１：オーディオ装置              ２：外部メディア
３：ＰＣ                        ４：専用ソフトウエア
１００：楽曲データ                １１０：本体データ
１２０：属性データ                １３０：ショートカットファイル
１３２：パスデータ                １３４：作成日時データ
【図１】
0005164534.tif 000002
【図２】
0005164534.tif 000003
【図３】
0005164534.tif 000004
【図４】
0005164534.tif 000005
【図５】
0005164534.tif 000006
【図６】
0005164534.tif 000007
【図７】
0005164534.tif 000008
【図８】
0005164534.tif 000009
【図９】
0005164534.tif 000010
【図１０】
0005164534.tif 000011
【図１１】
0005164534.tif 000012